(57)【要約】      （修正有）【課題】温室内で栽培する農作物に対し、その高い位置で必要な農作業を、効率良く行うことができる温室内作業足場を提供する。【解決手段】柱５２と梁５３とを有する温室５０内に設置され、温室５０内で栽培するトマトの作業を行うのに、作業者の足場として用いられる作業足場において、栽培するトマトの畝６０に沿い、トマトへの接触と作業者の移動を可能とする形態に構成された通路部１０を有し、通路部１０は、温室５０の天井側からの吊設により、畝６０上に配置されている。【選択図】図１
0003195946.tif 000002
【実用新案登録請求の範囲】
【請求項１】
柱と梁とを有する温室内に設置され、温室内で栽培する農作物の作業を行うのに、作業者の足場として用いられる温室内作業足場において、
栽培する農作物の畝に沿い、農作物への接触と作業者の移動を可能とする形態に構成された通路部を有し、前記通路部は、前記温室の天井側からの吊設により、畝上に配置されていること、
を特徴とする温室内作業足場。
【請求項２】
請求項１に記載する温室内作業足場において、
前記通路部は、畝一列につき、畝の長手方向に沿って一列状に延設され、前記長手方向に対し、畝の一端と他端とを結ぶ区間を含む位置に配置されていること、
を特徴とする温室内作業足場。
【請求項３】
請求項１または請求項２に記載する温室内作業足場において、
畝の長手方向に沿う方向を前記通路部の延設方向とし、畝の高さ方向に沿う方向、かつ前記延設方向に直交する方向を前記通路部の幅方向とすると、
前記通路部の下側には、前記幅方向に平行に延びる支持部を有する係留部材が、前記通路部に着脱可能に吊設されていること、
を特徴とする温室内作業足場。
【請求項４】
請求項１乃至請求項３のいずれか１つに記載する温室内作業足場において、
対向する前記柱に固定された状態で、前記梁に沿って配設された懸架部材を有し、前記通路部は、前記懸架部材に吊設されていること、
を特徴とする温室内作業足場。 
【考案の詳細な説明】
【技術分野】
【０００１】
この考案は、いわゆるビニールハウス（温室）内で栽培する農作物の作業で、作業者の足場として用いる温室内作業足場に関する。
【背景技術】
【０００２】
温室でトマトを栽培する農家では、トマトの苗を植えた畝は、ビニールハウス内で通路を挟んで複数列にわたって整備されており、作業者は、この通路を利用して、トマトの栽培に必要な作業を行っている。その作業の中には、支柱立て、わき芽のかき取りや主枝の摘芯、主枝の誘引（整枝・摘芯）、受粉作業、収穫等、通路にいる作業者の手が届き難い高所で行う作業もあり、高所で作業を行うときには、作業者は、脚立や、足場となる作業台を用いている。その作業台の一例が、特許文献１に開示されている。
【０００３】
特許文献１は、長尺板状の踏板部において、長辺の一方側で、短辺に沿う踏板部の両サイドに設けた一対の車輪と、その他方側で、短辺に沿う踏板部の両サイドに設けた一対の支持脚と、長辺の他方側の短辺に設けた取手とを有する車輪付きの農作業用足場台である。作業者は、隣り合う畝同士の間にある通路上で、取手を持ち上げ、接地する車輪を回転させながら、農作業用足場台を移動し、作業位置では、取手を下げ、支持脚を接地させた農作業用足場台に載って、蔓の剪定、芽摘み、受粉作業、及び収穫等の作業を行う。特許文献１の作業台のほか、先行技術文献を開示しないが、足場となる踏板部に支持脚を取付けて地面で支える作業台もある。
【先行技術文献】
【特許文献】
【０００４】
【特許文献１】特開２０１４−４９３７号公報
【考案の概要】
【考案が解決しようとする課題】
【０００５】
しかしながら、１棟のビニールハウス内で整備されたトマトの畝は、例えば、１列が全長約３６ｍ、全幅約２０ｍのハウス内に８列、畝の総全長約２９０ｍ等、と非常に長く、農家はこのような長い畝でトマトを栽培している。そのため、作業者が、ビニールハウス１棟につき、約２９０ｍにも及ぶ畝に植えられたトマトに、主枝の整枝・摘芯等の高所作業を行うとき、特許文献１のような移動式の農作業用足場台では、作業者は作業中、足場台の上り下りと、足場台の移動とを頻繁に繰り返さなければならず、余分な時間がかかる上、作業者にとって面倒で作業性も悪かった。また、作業台の支持脚が地面に立てられると、作業者が機械を用いて農作業を行うとき、支持脚が邪魔になり、作業性も悪かった。
【０００６】
本考案は、上記問題点を解決するためになされたものであり、温室内で栽培する農作物に対し、その高い位置で必要な農作業を、効率良く行うことができる温室内作業足場を提供することを目的とする。
【課題を解決するための手段】
【０００７】
上記目的を達成するために、本考案に係る温室内作業足場は、以下の構成を有する。
（１）柱と梁とを有する温室内に設置され、温室内で栽培する農作物の作業を行うのに、作業者の足場として用いられる温室内作業足場において、栽培する農作物の畝に沿い、農作物への接触と作業者の移動を可能とする形態に構成された通路部を有し、前記通路部は、前記温室の天井側からの吊設により、畝上に配置されていること、を特徴とする。
（２）（１）に記載する温室内作業足場において、前記通路部は、畝一列につき、畝の長手方向に沿って一列状に延設され、前記長手方向に対し、畝の一端と他端とを結ぶ区間を含む位置に配置されていること、を特徴とする。
（３）（１）または（２）に記載する温室内作業足場において、畝の長手方向に沿う方向を前記通路部の延設方向とし、畝の高さ方向に沿う方向、かつ前記延設方向に直交する方向を前記通路部の幅方向とすると、前記通路部の下側には、前記幅方向に平行に延びる支持部を有する係留部材が、前記通路部に着脱可能に吊設されていること、を特徴とする。
（４）（１）乃至（３）のいずれか１つに記載する温室内作業足場において、対向する前記柱に固定された状態で、前記梁に沿って配設された懸架部材を有し、前記通路部は、前記懸架部材に吊設されていること、を特徴とする。
【考案の効果】
【０００８】
上記構成を有する本考案の温室内作業足場の作用・効果について説明する。
（１）柱と梁とを有する温室内に設置され、温室内で栽培する農作物の作業を行うのに、作業者の足場として用いられる温室内作業足場において、栽培する農作物の畝に沿い、農作物への接触と作業者の移動を可能とする形態に構成された通路部を有し、通路部は、温室の天井側からの吊設により、畝上に配置されていること、を特徴とする。この特徴により、例えば、総全長２９０ｍに及ぶ畝に、農作物として植えられた数多くのトマト等の苗に対し、作業者が、支柱立て、主枝の摘芯、主枝の誘引等の高所農作業を行うとき、特許文献１のような移動式の農作業用足場台を用いた従来技術に比べ、足場台の上り下りと、足場台の移動とを頻繁に繰り返す等、作業者の無駄な動きが一切ない。そのため、作業者は、高所農作業を、効率良く、かつより短い時間で行うことができる。
【０００９】
従って、本考案に係る温室内作業足場によれば、温室内で栽培する農作物に対し、その高い位置で必要な農作業を、効率良く行うことができる、という優れた効果を奏する。
【００１０】
（２）通路部は、畝一列につき、畝の長手方向に沿って一列状に延設され、長手方向に対し、畝の一端と他端とを結ぶ区間を含む位置に配置されていること、を特徴とするので、同じ畝にある農作物に対し、高所農作業を行う作業位置を変えるときに、作業者は、次の作業位置まで通路部をそのまま歩いて移動すれば良く、作業者に面倒な動きが一切ない。
【００１１】
（３）畝の長手方向に沿う方向を通路部の延設方向とし、畝の高さ方向に沿う方向、かつ延設方向に直交する方向を通路部の幅方向とすると、通路部の下側には、幅方向に平行に延びる支持部を有する係留部材が、通路部に着脱可能に吊設されていること、を特徴とする。これにより、例えば、農作物として、畝に植えたトマト等の苗がまだ小さく、主枝が、畝に立てた支柱に支えられている間、係留部材を取り外しておくことができる。トマトの栽培に必要な農作業のうち、畝への追肥、敷き藁、及び防虫対策等、畝の近傍で作業者の手が届く低い位置で農作業を行うとき、係留部材が取り付いていると、作業者の邪魔になるからである。その一方で、この主枝が支柱の高さを超えて伸び続けると、係留部材を通路部の下側に取り付けることにより、成長し続けるこの主枝や、この主枝から分岐した側枝を支え、保持することができる。そのため、作業者は、このような側枝に付いている花房の受粉や、この側枝に成った果実の収穫等の農作業を、通路部の下のより低い作業位置で行うことができるため、作業性が良い。すなわち、必要に応じて、係留部材を通路部に着脱することにより、高所農作業を含む、農作物の栽培に必要な農作業の作業性が向上する。
【００１２】
（４）対向する柱に固定された状態で、梁に沿って配設された懸架部材を有し、通路部は、懸架部材に吊設されていること、を特徴とするので、温室内のスペースを有効に利用することができる。また、トマト等の農作物の栽培に適した環境に構成するため、温室内を細かく区画することにより、一つひとつの空間の容積を小さくして保温性を高める保温ネットや、温度調節等を目的として太陽光を遮る遮光カーテンが、温室の梁に、開閉可能に設けられている場合がある。このような場合でも、通路部が、梁と独立した懸架部材に吊設されているため、保温ネットや遮光カーテンの開閉動作に影響を及ぼすことはない。
【図面の簡単な説明】
【００１３】
【図１】実施形態に係る作業足場を施行した温室を示す正面図である。
【図２】図１に示す作業足場を温室の天井側から見た平面図である。
【図３】図１の側面図である。
【図４】実施形態に係る作業足場の一部を示す斜視図であり、作業足場の構造を説明する図である。
【図５】実施形態に係る作業足場に取り付けた係留部材を示す正面図である。
【図６】図５の側面図である。
【図７】実施形態に係る作業足場と畝との位置関係を示す説明図であり、畝に１列状に植えた栽培中のトマトが背丈２ｍ程度の状態にある場合を示す。
【図８】図７と同様の説明図であり、畝に２列状に植えた栽培中のトマトが背丈２ｍ程度の状態にある場合を示す。
【図９】実施形態に係る作業足場の係留部材の作用を説明する図である。
【考案を実施するための形態】
【００１４】
（実施形態）
以下、本考案に係る温室内作業足場について、実施形態を図面に基づいて詳細に説明する。本実施形態では、農作物であるトマトが農家の温室内で栽培される場合について説明する。図１は、実施形態に係る作業足場を施行した温室を示す正面図であり、その作業足場を温室の天井側から見た平面図を図２に、側面図を図３に、それぞれ示す。
【００１５】
はじめに、温室について簡単に説明する。温室５０は、対向する既存柱５２，５２同士を既存梁５３で連結した柱梁フレーム５１を複数備えた躯体と、その外壁として、この躯体を合成樹脂製のフィルムで被覆された、いわゆるビニールハウスであり、トマト栽培に適した環境に構成されている。この温室５０は、本実施形態では、間口１８ｍ（図１中、左右方向の寸法）、奥行き３９ｍ（図２中、左右方向の寸法）、軒高４．２ｍ（図１中、外壁の高さ）の大きさである。温室５０の躯体は主に、間隔３ｍの均一なピッチで配置された１４組の柱梁フレーム５１により、構築されている。
【００１６】
また、温室５０内には、トマト７０を栽培する畝６０が、間口方向に沿って８つに並列配置され、どの畝６０も奥行き方向に延びて整備されている。但し、温室５０の手前側（図２中、左側）と奥側（図２中、右側）で第１通路６７を確保するため、畝６０の端６１，６２が、８列とも、温室５０の壁から約１．５ｍ離れた位置になっている。従って、各畝６０の大きさは、全長３６ｍ、全幅１．２ｍであり、計８列分の畝６０の総全長は、２９０ｍである。隣り合う畝６０，６０同士の間は、作業者の第２通路６８となっている。
【００１７】
次に、作業足場１（本考案の温室内作業足場に相当）について説明する。作業足場１は、温室５０内でトマト７０を栽培するのに必要な農作業のうち、第２通路６８に立つ作業者の手が届き難い高所の作業を行うときに、作業者の足場として用いられる。作業足場１は、栽培するトマト７０の畝６０に沿い、トマト７０への接触と作業者の移動を可能とする形態に構成された通路部１０を有している。通路部１０は、温室５０の天井側からの吊設により、畝６０上に配置されている。この通路部１０は、１列の畝６０につき、畝６０の長手方向Ｌに沿って１列状に設置され、８つの畝６０とも、その長手方向Ｌに対し、畝６０の一端６１と他端６２とを結ぶ区間を含む位置に配置されている。
【００１８】
図４は、実施形態に係る作業足場の一部を示す斜視図であり、作業足場の構造を説明する図である。なお、図４では、図を見易くするため、縦桁部材１１と横桁部材１２との固定金具等をはじめ、一部で部品の図示が省略されている。また、図４を含む各図では、畝６０の高さ方向（図１中、上下方向）に沿う高さ方向Ｈ、かつ畝６０の長手方向に沿う通路部１０の延設方向Ｌと直交する方向を、通路部１０の幅方向Ｗとする。
【００１９】
具体的に説明する。本実施形態では、通路部１０は、図４に示すように、延設方向Ｌに４列に配置された縦桁部材１１と、延設方向Ｌに対し間隔１．５ｍの均一なピッチで、これらの縦桁部材１１を下から支える複数の横桁部材１２と、縦桁部材１１の上に敷設された踏板部材１３と、を有している。縦桁部材１１は、複数の金属製パイプ部材を直列に繋ぎ合わせた長尺状のパイプ材で、１つの畝６０長さに対応した全長３６ｍになっている。横桁部材１２は、縦桁部材１１と同じ金属製パイプ部材からなり、４列とも、縦桁部材１１と直交して組み付けられ、図示しない固定金具、ボルト及びナットで固定されている。踏板部材１３は、幅方向Ｗの寸法が３０ｃｍ程のエキスパンドメタルからなり、太陽光や、通路部１０上方に散水した水等が、踏板部材１３で遮られずに、通路部１０下方のトマト７０の畝６０にまで届くようになっている。通路部１０は、第２通路６８から踏板部材１３までの高さ約１．５ｍの位置に施工されている。
【００２０】
温室５０内には、図１及び図２に示すように、１２本の懸架部材２０が、１４組の柱梁フレーム５１のうち、両端に位置する柱梁フレーム５１を除く１２組の柱梁フレーム５１の梁５３の下を、これらの梁５３に沿って配設され、対向する柱５２，５２に溶接で固定されている。また、これら１２本の懸架部材２０は、温室５０の天井近くで、奥行き方向に張られた補助部材（図示省略）により、補助的に支持されている。懸架部材２０は、例えば、番線、鉄筋等の鉄製線材または鉄製棒材であり、天井側から地面側に向けて吊るす複数の釣止部材１４と複数の釣止部材１５とを、それぞれ係留するために設けられている。
【００２１】
釣止部材１４と釣止部材１５は、鉄筋等の鉄製棒材からなる。釣止部材１４は、横桁部材１２の幅方向Ｗ両側において、懸架部材２０から鉛直方向下方に張設する部材である。釣止部材１４は、各柱梁フレーム５１の梁５３の真下に位置する横桁部材１２Ｆ（１２）の端部に、下端部１４Ｌを取付けると共に、その反対側にある上端部１４Ｕを懸架部材２０に係留して固定することにより、通路部１０を畝６０の上で支える。
【００２２】
釣止部材１５は、横桁部材１２の幅方向Ｗ両側において、懸架部材２０と横桁部材１２との間を斜めに張設する部材である。釣止部材１５は、懸架部材２０において、釣止部材１４の上端部１４Ｕを固定した部位と同じ位置に、上端部１５Ｕを係留して固定すると共に、その反対側にある下端部１５Ｌを、隣り合う柱梁フレーム５１，５１の梁５３，５３の真下に位置する横桁部材１２Ｆ，１２Ｆ（１２，１２）に対し、その中間に位置する横桁部材１２Ｃ（１２）の端部に、下端部１４Ｌを取付けることにより、釣止部材１４と共に、通路部１０を支える。なお、通路部１０を支持する強度が十分に担保されていれば、釣止部材１５の張設が一部で省かれていても良い。
【００２３】
横桁部材１２の両端に、それぞれ取り付けられた釣止部材１４において、懸架部材２０に固定される両側の上端部１４Ｕは互いに、踏板部材１３より広い約１ｍの距離を隔てた位置に取り付けられている。釣止部材１５についても、懸架部材２０に固定される両側の上端部１５Ｕは互いに、踏板部材１３より広い約１ｍの距離を隔てた位置に取り付けられている。釣止部材１４、１５は、上端部１４Ｕ、１５Ｕと懸架部材２０との係留が外れず、かつ下端部１４Ｌ、１５Ｌと横桁部材１２との取付けが外れないよう、図示しない固定金具をボルト及びナットで締結することにより、しっかりと固定されている。
【００２４】
通路部１０の両側には、手摺り１８が、溶接により釣止部材１４と釣止部材１５に取り付けられている。この手摺り１８は、通路部１０を歩く作業者の安全を確保できる高さ、かつ、踏板部材１３との間で、畝６０に栽培されているトマト７０への農作業に支障を来さない高さ（例えば、踏板部材１３から高さ約８０ｃｍ等）に据え付けられている。なお、手摺り１８は、作業者の安全上、全長３６ｍの通路部１０全体に据え付けられるのが好ましいが、農作業の都合上、やむを得なく、全長３６ｍの通路部１０に部分的に据え付けられていても良い。
【００２５】
図５は、実施形態に係る作業足場に取り付けた係留部材を示す正面図であり、図５の側面図を図６に示す。通路部１０の下側には、幅方向Ｗに延びる棒状の支持部３３を有する係留部材３０が、通路部１０に着脱可能に吊設されている。
【００２６】
具体的には、係留部材３０は、図５及び図６に示すように、一直線状に延びる支持部３３と、この支持部３３の両端部を上向きに曲げた屈曲部３４と、支持部３３と垂直に連結する２つの引掛け腕部３１と、各引掛け腕部３１の先端に係留部３２を有している。係留部３２は、通路部１０の横桁部材１２の端部と着脱可能なフック形状に形成されている。係留部材３０は、例えば、鉄筋等の鉄製棒材製で、曲げ加工と溶接加工等により、一体で形成されている。
【００２７】
なお、係留部材３０を、番線等の鉄製線材で形成しても良い。また、屈曲部３４の向きは、上向きでなくても良い。また、本実施形態では、溶接により、支持部３３と、屈曲部３４と、２つの引掛け腕部３１とを、一体構造で形成した係留部材３０を挙げたが、係留部材は、支持部を通路部の下に配置できるよう、通路部に着脱可能に吊設できれば、どのような構造で構成されていても良い。
【００２８】
温室５０では、計８列分の総全長２９０ｍに及ぶ畝６０に、数多くのトマト７０の苗が植えられて栽培されており、数えきれない程のトマト７０の主枝と側枝が畝６０を覆っている。トマト７０の栽培中、特に主枝は１０ｍ近くまで成長して伸び続けながら、側枝に花房が付いて果実が成る。そのトマト栽培の過程で、例えば、支柱立て、わき芽のかき取りや主枝の摘芯、主枝の誘引（整枝・摘芯）、受粉作業、収穫等、第２通路６８に立つ作業者にとって、手の届き難い高所での農作業（以下、「高所農作業」と称する。）が必要になる。このような高所農作業を行うときには、作業者は、作業足場１に立って作業を行う。
【００２９】
図７及び図８に示すように、作業足場１の通路部１０は、畝６０の幅（図７及び図８、左右方向）中央に配置されている。そのため、トマト７０の苗が、畝６０の幅方向に１列（単数列）で栽培されている場合、トマト７０の主枝や側枝が、通路部１０を横切って温室５０の天井に向けて真直ぐ伸びようとする段階で、作業者が通路部１０上で、わき芽のかき取りや主枝の摘芯、主枝の誘引等の高所農作業を行う。また、単数列と同様、トマト７０の苗が、通路部１０を挟む両側にそれぞれ１列、計２列（複数列）で栽培されている場合も、通路部１０の両側で栽培されているトマト７０の主枝や側枝が、通路部１０を横切って温室５０の天井に向けて真直ぐ伸びようとする段階で、作業者が通路部１０上で、わき芽のかき取りや主枝の摘芯、主枝の誘引等の高所農作業を行う。
【００３０】
支柱に支えられたトマト７０の主枝が、支柱の高さを超えて伸び続けると、トマト栽培では、成長し続けるこの主枝を支え、保持する必要がある。図９は、実施形態に係る作業足場の係留部材の作用を説明する図である。
【００３１】
作業足場１の通路部１０下には、係留部材３０が横桁部材１２に取付けられており、図９に示すように、係留部材３０における支持部３３と屈曲部３４が、支柱の高さを超えて伸び続ける主枝と、この主枝から延びる側枝を支えている。これにより、作業者は、係留部材３０に支持された側枝に付いている花房の受粉作業や、この側枝に成った果実の収穫等の農作業を、通路部１０の下で行うことができる。また、作業足場１に設けた係留部材３０により、主枝を支える支柱の高さを比較的低くすることができるため、トマト７０に行う農作業の作業性が向上する。さらに、係留部材３０において、支持部３３と屈曲部３４を支持する引掛け腕部３１が、畝６０に延びて接地しておらず、横桁部材１２で保持されているため、機械が第２通路６８を通って農作業を行うとき、係留部材３０の引掛け腕部３１が邪魔になることもなく、この機械による農作業をスムーズに行うことができる。
【００３２】
次に、本実施形態に係る作業足場１の作用・効果について説明する。本実施形態に係る作業足場１では、柱５２と梁５３とを有する温室５０内に設置され、温室５０内で栽培するトマト７０の作業を行うのに、作業者の足場として用いられる作業足場において、栽培するトマト７０の畝６０に沿い、トマト７０への接触と作業者の移動を可能とする形態に構成された通路部１０を有し、通路部１０は、温室５０の天井側からの吊設により、畝６０上に配置されている。これにより、総全長２９０ｍに及ぶ畝６０に、植えられた数多くのトマト７０の苗に対し、作業者が、支柱立て、主枝の摘芯、主枝の誘引等の高所農作業を行うとき、特許文献１のような移動式の農作業用足場台を用いた従来技術に比べ、足場台の上り下りと、足場台の移動とを頻繁に繰り返す等、作業者の無駄な動きが一切ない。そのため、作業者は、高所農作業を、効率良く、かつより短い時間で行うことができる。
【００３３】
従って、本実施形態の作業足場１によれば、温室５０内で栽培するトマト７０に対し、その高い位置で必要な農作業を、効率良く行うことができる、という優れた効果を奏する。
【００３４】
また、本実施形態の作業足場１では、通路部１０は、畝６０一列につき、畝６０の長手方向Ｌに沿って一列状に延設され、長手方向Ｌに対し、畝６０の一端６１と他端６２とを結ぶ区間を含む位置に配置されていること、を特徴とする。この特徴により、同じ畝６０にあるトマト７０に対し、高所農作業を行う作業位置を変えるときに、作業者は、次の作業位置まで通路部１０をそのまま歩いて移動すれば良く、作業者に面倒な動きが一切ない。
【００３５】
なお、本実施形態では、８列の畝６０が温室５０内に整備され、各畝６０の上に施工された通路部１０のそれぞれが、互いに繋がっていない。そのため、先の畝６０で高所農作業を行っている通路部１０から、次の畝６０に移動してトマト７０の高所農作業を行うときには、作業者は、先の畝６０の上にある通路部１０から、第１通路６７や第２通路６８に一旦下りてから、次の畝６０の上にある通路部１０に上がる。通路部１０への上り下りには、脚立や、踏み台が用いられ、作業者は、１列３６ｍの畝６０に栽培されている全てのトマト７０の高所農作業を行うのに、１列３６ｍの通路部１０を、上り１回、下り１回行うだけで足りる。そして、作業者は、通路部１０を歩いて移動することにより、１列３６ｍの畝６０に栽培されている数多くのトマト７０に対し、高所農作業を全て行うことができるため、高所農作業に対する作業者の労働負担が、特許文献１のような移動式の農作業用足場台を用いた従来技術に比して、かなり低減できる。
【００３６】
また、本実施形態に係る作業足場１では、畝６０の長手方向Ｌに沿う方向を通路部１０の延設方向Ｌとし、畝６０の高さ方向に沿う高さ方向Ｈ、かつ延設方向に直交する方向を通路部１０の幅方向Ｗとすると、通路部１０の下側には、幅方向Ｗに平行に延びる支持部３３を有する係留部材３０が、通路部１０に着脱可能に吊設されていること、を特徴とする。これにより、畝６０に植えたトマト７０の苗がまだ小さく、主枝が、畝６０に立てた支柱に支えられている間、係留部材３０を取り外しておくことができる。トマト７０の栽培に必要な農作業のうち、畝６０への追肥、敷き藁、及び防虫対策等、畝６０の近傍で作業者の手が届く低い位置で農作業を行うとき、係留部材３０が取り付いていると、作業者の邪魔になるからである。その一方で、この主枝が、支柱の高さを超えて伸び続けると、係留部材３０を通路部１０の下側に取り付けることにより、成長し続けるこの主枝を支え、保持することができる。そのため、作業者は、このような側枝に付いている花房の受粉作業や、この側枝に成った果実の収穫等の農作業を、通路部１０の下のより低い作業位置で行うことができるため、作業性が良い。すなわち、必要に応じて、係留部材３０を通路部１０に着脱することにより、高所農作業を含む、トマト７０の栽培に必要な農作業の作業性が向上する。
【００３７】
また、本実施形態に係る作業足場１では、対向する柱５２，５２に固定された状態で、梁５３に沿って配設された懸架部材２０を有し、通路部１０は、懸架部材２０に吊設されていること、を特徴とするので、温室５０内のスペースを有効に利用することができる。総全長２９０ｍに及ぶ畝６０に、植えられた数多くのトマト７０の苗に対し、作業者が、支柱立て、主枝の摘芯、主枝の誘引等の高所農作業を行うとき、特許文献１のような移動式の農作業用足場台を用いると、このような移動式の農作業用足場台は複数必要となり、スペース上、その保管場所が確保し難くい場合があり、問題となる。しかしながら、本実施形態に係る作業足場１では、このような問題も生じない。また、トマト栽培に適した環境に構成するため、温室５０内を細かく区画することにより、一つひとつの空間の容積を小さくして保温性を高める保温ネットや、温度調節等を目的として太陽光を遮る遮光カーテンが、温室５０の柱梁フレーム５１の梁５３に、開閉可能に設けられている場合がある。このような場合でも、通路部１０が、梁５３と独立した懸架部材２０に吊設されているため、保温ネットや遮光カーテンの開閉動作に影響を及ぼすことはない。
【００３８】
以上において、本考案を実施形態に即して説明したが、本考案は上記実施形態に限定されるものではなく、その要旨を逸脱しない範囲で、適宜変更して適用できる。
（１）例えば、実施形態では、農作物をトマト７０としたが、農作物は、温室内で栽培する作物であれば、何でも良い。
（２）また、実施形態では、温室５０内に整備された畝６０が８列で、各畝６０の上に吊設した通路部１０を全８列としたが、温室内に整備された畝の数、温室内作業足場の通路部の列数は、適宜変更可能である。
【００３９】
（３）また、実施形態では、８つの畝６０の上に吊設した全８列の通路部１０のそれぞれは、互いに繋がっていないが、例えば、温室の手前側（図２中、左側）と奥側（図２中、右側）等に、隣り合う通路部同士を繋ぐ渡り部を設けて、吊設した全ての通路部が、閉ループ状に繋がっていても良い。先の畝で高所農作業を行っている通路部から、次の畝に移動して、高所で農作物への作業を行うときに、作業者が、通路部の上り下りをしなくても、先の畝の上にある通路部から、渡り部を通じて、次の畝の上にある通路部に移動でき、より作業性が向上するからである。
（４）また、実施形態では、８つの畝６０の上に吊設した全８列の通路部１０の両端位置を、温室５０の手前側（図２中、左側）と奥側（図２中、右側）でそれぞれ、壁から約１．５ｍ離れた位置とした。しかしながら、通路部の両端は、畝の両端位置を超えて、温室５０の手前側の壁と奥側の壁とを繋ぐ位置まで延びていても良い。これらの壁や、その近くにある梁等により、通路部を補助的に支えることができるため、通路部が補強され、通路部の剛性がより高くになって、通路部は一層安定するからである。
【符号の説明】
【００４０】
１  作業足場（温室内作業足場）
１０  通路部
２０  懸架部材
３０  係留部材
３３  支持部
５０  温室
５２  柱
５３  梁
６０  畝
６１  一端
６２  他端
７０  トマト（農作物）
Ｌ  長手方向、延設方向
Ｗ  幅方向
【図１】
0003195946.tif 000003
【図２】
0003195946.tif 000004
【図３】
0003195946.tif 000005
【図４】
0003195946.tif 000006
【図５】
0003195946.tif 000007
【図６】
0003195946.tif 000008
【図７】
0003195946.tif 000009
【図８】
0003195946.tif 000010
【図９】
0003195946.tif 000011